(57)【要約】【課題】  光ビーム走査型デバイスでは光源より発する光ビームはＲ、Ｇ、Ｂ各ＬＥＤの光を混合したもので、これにより画像を描くことから各ＬＥＤの光パワーは常に安定している必要がある。しかし、Ｒ、Ｇ、Ｂの３色を混合した光線で画像を描くディスプレイ装置において、光源の温度環境や長期経時で画像のカラーバランスが変化してしまうという問題があった。【解決手段】  複数の色の光束を発光する発光部を有する光源手段と、  前記光源手段からの光束を走査する走査手段と、  前記光束を観察者の眼球に導く光学系と、  前記光源手段が発する光の明るさを測定する明るさ測定手段と、  前記明るさ測定手段による測定結果に基づいてカラーバランスを補正するカラーバランス補正手段と、を有することを特徴とする表示装置を提供する。【選択図】  図２
2006042153.tif 000002
【特許請求の範囲】
【請求項１】
複数の色の光束を発光する発光部を有する光源手段と、
前記光源手段からの光束を走査する走査手段と、
前記光束を観察者の眼球に導く光学系と、
前記光源手段が発する光の明るさを測定する明るさ測定手段と、
前記明るさ測定手段による測定結果に基づいてカラーバランスを補正するカラーバランス補正手段と、を有することを特徴とする表示装置。
【請求項２】
前記カラーバランス補正手段により前記光源手段を構成する少なくとも一つ以上の発光部の発光強度を変更することを特徴とする請求項１に記載の表示装置。
【請求項３】
前記光源手段は、少なくとも赤、緑、青の単色の発光部を有し、前記カラーバランス補正手段は、各発光部に加える電力を制御してカラーバランスを補正することを特徴とする請求項２に記載の表示装置。
【請求項４】
さらに、前記明るさ測定手段より得られる光の明るさ測定結果に基づいて前記光源手段の明るさの変化を検出する明るさ変化検出手段とを有することを特徴とする請求項１乃至３のいずれかに記載の表示装置。
【請求項５】
さらに、前記明るさ変化検出手段の検出結果に基づいて前記光源手段の明るさを調整する明るさ制御手段を有することを特徴とする請求項４に記載の表示装置。
【請求項６】
前記明るさ測定手段は半導体受光素子によって構成されることを特徴とする請求項１及び４に記載の表示装置。
【請求項７】
前記半導体受光素子は前記光源手段のホワイトバランスを測定する機能を有することを特徴とする請求項６に記載の表示装置。
【請求項８】
前記カラーバランス補正手段は、画像の描画中に、前記表示装置の観察者の視野外で一連の測定を行い、測定結果に基づいて補正を行うことを特徴とする請求項２から７に記載の表示装置。
【請求項９】
さらに、前記明るさ変化検出手段の周囲の温度情報を検出する温度検出手段を有し、前記温度検出手段の検出結果に基づいて前記明るさ測定手段の温度特性を補正することを特徴とする請求項１から８に記載の表示装置。
【請求項１０】
複数の色の光束を発光する発光部を有する光源手段と、
前記光源手段からの光束を走査する走査手段と、
前記光束を観察者の眼球に導く光学系と、
を有する光ビーム型表示装置における表示制御方法であって、
前記光源手段が発する光の明るさを測定する明るさ測定工程と、
前記明るさ測定手段による測定結果に基づいてカラーバランスを補正するカラーバランス補正工程と、を有することを特徴とする表示制御方法。
【請求項１１】
前記カラーバランス補正工程では、前記光源手段を構成する少なくとも一つ以上の発光部の発光強度を変更することを特徴とする請求項１０に記載の表示制御方法。
【請求項１２】
前記光源手段は、少なくとも赤、緑、青の単色の発光部を有し、前記カラーバランス補正工程では、各発光部に加える電力を制御してカラーバランスを補正することを特徴とする請求項１１に記載の表示制御方法。
【請求項１３】
前記明るさ測定工程において得られる光の明るさ測定結果に基づいて前記光源手段の明るさの変化を検出する明るさ変化検出工程とを有することを特徴とする請求項１０乃至１２のいずれかに記載の表示制御方法。
【請求項１４】
さらに、前記明るさ変化検出工程の検出結果に基づいて前記光源手段の明るさを調整する明るさ制御工程を有することを特徴とする請求項１３に記載の表示制御方法。
【請求項１５】
さらに、温度検出工程を有し、前記温度検出工程の検出結果に基づいて、前記明るさ測定工程で得られる光の明るさの温度特性を補正することを特徴とする請求項１０乃至１４のいずれかに記載の表示制御方法。
【請求項１６】
被写体からの光を電気信号に変換する撮像素子と、
前記撮像素子から得られた電気信号に所定の処理を施し画像データを出力する画像処理手段と、
複数の色の光束を発光する発光部を有する光源手段と、
前記画像処理手段から出力された画像データを表示するために前記光源手段からの光束を走査する走査手段と、
前記光束の一部若しくは全体を観察者の眼球に導く光学系と、
前記光源手段が発する光の明るさを測定する明るさ測定手段と、
前記明るさ測定手段による測定結果に基づいてカラーバランスを補正するカラーバランス補正手段と、を有することを特徴とする撮像装置。
【発明の詳細な説明】
【技術分野】
【０００１】
本発明は、デジタルカメラ、デジタルビデオカメラ等の撮影機器の電子ビューファインダに適した光ビーム走査方式の表示装置及びその表示装置を用いた撮像装置に関する。
【背景技術】
【０００２】
光ビーム走査方式のディスプレイ装置に関して図３を用いて簡単に説明する。図３は、シリコン微細加工技術を用いて製作した捩り振動子の構造を示した図で、１０１は固定された基準部材、１０２と１０３はこの部材より突出して一軸上に存在する捩りバーで、捩り振動子１０５はこの捩りバーで吊られ、自在に回転する。捩りバー１０３には圧電素子１０４が形成されていて、この捩れバーの変形量を圧電素子１０４が２つの出力端子間に電圧差として出力する。１０６は捩れ振動子１０５上に形成されたコイルであってここに流す交流電流が、後述する台座部材１２０に設けられた磁石１２３Ａと１２３Ｂとが形成する磁場と作用して、捩れ振動子１０５は往復回転運動を行う。捩り振動子１０５の運動方向は後述するミラー部１１０Ａで反射される光ビームを上下方向に走査する事になるので、垂直スキャンと記す。１０７と１０８は捩り振動子１０５から突出している捩りバーで捩り振動子１１０を支えている。この捩れ振動子表面１１０Ａ側はアルミが全面に蒸着されたもので、入射光を反射するスキャナのミラーとして動作する。また、捩りバー１０８にも圧電素子１０９が形成されていて、この捩れバーの変形量に応じて圧電素子１０９が２つの出力端子に出力する電圧の差分成分から回転角度を検出することが可能である。更に捩り振動子１１０は固有の共振周波数で捩りバー１０７と１０８を中心に揺動するもので、その固有共振周波数は３９．９６ＫＨｚになるよう捩りバー１０７，１０８のバネ定数と捩り振動子１１０の質量が決定されている。Ａ視図において１２０は本装置の基礎部材でこの上に各部品類が組み立てられている。１２１は基準部材１０１の保持部材で、これを介して基礎部材１２０に固定されている（例えば、特許文献１、２を参照）。
【０００３】
１２２Ａと１２２Ｂは捩り振動子１１０に隣接して設置された駆動電極で、この電極と捩り振動子１１０の電極部１１０Ｂの間に電圧を印加すると捩り振動子１１０に静電力を及ぼすことになる。従って、ここに所定の交流電圧を印加することで捩り振動子を駆動することが可能である。捩りバー１０７，１０８を中心に往復回転運動を行うミラーは後述する発光源の光ビームを水平方向へ走査する（以降、この動作を水平スキャンと記す）。前述の磁石１２３Ａと１２３Ｂは基礎部材１２０に固定され、Ｓ極とＮ極に関しては互いに逆極性が表面に来る様に向かい合って設置される。この２つの磁石で形成される磁場中に存在するコイル１０６に交流電流を流す事によりコイル１０６は電流の方向で定められた向きに力を受けて、捩り振動子１０５は往復回転運動を続ける。１３０、１３１、１３２、１３３、１３４、１３５、１３６は基準部材１０１上に設けられた接続端子で、図４のドライブ回路１７と電気的に接続する為のものである。ドライブ回路１７は光ビーム走査方式のディスプレイを構成する要素の一つで、これまで説明してきた図３のミラー部の駆動制御を司ると同時に光源２１の制御を為すもので、垂直方向に関しては圧電素子１０４の信号をモニターしつつ、コイル１０６にノコギリ波状の垂直駆動電流を流し、そのノコギリ波の周期で捩り振動子１０５全体を揺動する。また、水平方向には電極部１１０Ｂと駆動電極１２２Ａ、１２２Ｂ間に駆動電極交流電圧を印加することにより、静電力にて捩り振動子の駆動力を得ている。尚、この交流電圧の周波数は捩り振動子１１０の上記固有共振周波数に概略一致していているため、僅かな駆動エネルギーであっても安定した振動数で水平スキャンが可能である。ミラー制御回路がミラー部を駆動する際の電流波形を図５に示す。
【０００４】
図５（Ａ）は駆動電極１２２Ａ、１２２Ｂと１１０Ｂとの間に印加する正弦波電圧を示し、ミラーは水平方向に３９．９６ＫＨｚで往復回転運動を続ける。又（Ｂ）はコイル１０６に流れるノコギリ波電流を示し、ミラー全体が１秒間に６０回の垂直方向の駆動がなされる。水平方向への駆動信号との位相関係は本図面上に示す通りで、ノコギリ波電流の上昇期間が垂直スキャン期間である。また、圧電素子１０４の出力電圧をモニターする事でミラー部の垂直走査の状態をモニターする事が可能で、同様に圧電素子１０９の出力電圧をモニターする事でミラー１１０Ａの水平走査の状態をモニターする事が可能である。ドライブ回路１７はこれらの出力電圧からミラーの動きを検出して、後述の光源装置２１の動作を制御する。
【０００５】
実際の画像の描画に関しては図４を参照して説明する。図４は電子ビューファインダの一例として光ビーム走査型表示デバイスを用いた一形態である。
【０００６】
図４（Ａ）において、１７は光ビーム走査型表示デバイスの動作を制御するドライブ回路であり、本光ビーム走査型表示デバイスの構成要素である光源装置２１と図３に示したミラー部全体の動作を制御するものである。但し（Ａ）では簡略化の為、図３に示すミラー部全体からミラー１１０のみ抜き出して記載している。また、光ビーム走査型デバイスは赤（Ｒ）、緑（Ｇ）青（Ｂ）三色のＬＥＤと各ＬＥＤからの光線を均一に混合するダイクロイックプリズムから成る光源装置２１、ミラー部及び半透明のスクリーン４０とそのスクリーン上に形成される画像を拡大するルーペ３１からなる。光源装置２１は図６に示す構造で、３個のプリズム４３、４４、４５と赤色のダイクロイックフィルター４６、青色のダイクロイックフィルター４７、赤色ＬＥＤ４８（Ｒ）、緑色ＬＥＤ４９（Ｇ）、青色ＬＥＤ５０（Ｂ）及び集光レンズ５１から構成され各ＬＥＤが発した単色光はダイクロイックフィルターとプリズムに反射されて交じり合い、集光レンズ５１に到達する。集光レンズ５１は図４に示すスクリーン４０上で光ビームを集光させるものであり、本図面上は簡略化の為に単レンズで示したが、各光源の色収差を補整する為に複数枚のレンズ構成をとる物であっても構わない。上記構成により光源装置２１からは任意のカラーで任意の光強度の光ビームを発し、これをミラー１１０の表面１１０Ａで反射させてスクリーン４０上に画像を描くものである。
【０００７】
又、ドライブ回路１７は外部に設けられた制御装置の指示に基づいて、ミラー１１０の動きに同期して光源装置２１のＲ，Ｇ，Ｂ各色のＬＥＤの光強度、点灯／消灯を制御する。
【０００８】
ミラー部はドライブ回路１７からの信号供給により水平、垂直各方向へ前述の周期で光源からの光ビームをスキャンする。以上の構成により、輝度、カラーが変調された光ビームを高速にスクリーン４０上に操引して画像を形成し、その画像をルーペ３１で拡大して観測することでファインダとして機能する。スクリーン４０上の像は図４（Ｂ）のように縦横比３：４の割合で掃引される。尚４１の点線で示す領域は実際に画像が描かれる部分で、ここを外れると光源装置２１は一旦光ビームを停止させる。以上説明した描画が１秒間に６０回繰り返されることから、網膜上の残像の効果によりルーペ３１を介して観測者は線ではなく平面上に画面が存在するものと認識する。
【特許文献１】特表平１１−５０５６２７号公報（第３１頁、図９）
【特許文献２】特表２００１−５１９７２６号公報（第３５頁、図９）
【発明の開示】
【発明が解決しようとする課題】
【０００９】
このような、光ビーム走査型デバイスでは光源より発する光ビームはＲ、Ｇ、Ｂ各ＬＥＤの光を混合したもので、この３色の光ビームの走査によって画像を描くことから各色のＬＥＤの光パワー（発光強度）が常に安定している必要がある。しかしながら一般的にＬＥＤは高温になると発光効率が低下し、流れる電流値が一定であっても輝度、発光強度は低下する。また、長期的に継続して使用していると徐々に劣化してやはり輝度は低下していくものである。更にＲ、Ｇ、Ｂ各色のＬＥＤはその製造プロセスや材料の違いによって劣化の程度が異なり、従って輝度の低下も一律ではない。従って、上記３色を混合した光線で画像を描くディスプレイ装置にあっては、温度環境や経年変化で画像のカラーバランスが変化することは避けられない。
【００１０】
本発明は係る問題点を解決する為になされたものであり、Ｒ，Ｇ，Ｂの各色ＬＥＤの明るさを調整して、カラーバランスを常に所定の範囲に収めて、適切なカラーバランスで被写体像を描画することが可能な光ビーム走査型表示装置、表示制御方法及び撮像装置を提供することを目的とする。
【課題を解決するための手段】
【００１１】
上記目的を達成するため、本願発明の表示装置は、
複数の色の光束を発光する発光部を有する光源手段と、
前記光源手段からの光束を走査する走査手段と、
前記光束を観察者の眼球に導く光学系と、
前記光源手段が発する光の明るさを測定する明るさ測定手段と、
前記明るさ測定手段による測定結果に基づいてカラーバランスを補正するカラーバランス補正手段と、を有することを特徴とする。
【００１２】
また、上記目的を達成するため、本願発明の表示制御方法は、
複数の色の光束を発光する発光部を有する光源手段と、
前記光源手段からの光束を走査する走査手段と、
前記光束を観察者の眼球に導く光学系と、
を有する光ビーム型表示装置における表示制御方法であって、
前記光源手段が発する光の明るさを測定する明るさ測定工程と、
前記明るさ測定手段による測定結果に基づいてカラーバランスを補正するカラーバランス補正工程と、を有することを特徴とする。
【００１３】
また、上記目的を達成するため、本願発明の撮像装置は、
被写体からの光を電気信号に変換する撮像素子と、
前記撮像素子から得られた電気信号に所定の処理を施し画像データを出力する画像処理手段と、
複数の色の光束を発光する発光部を有する光源手段と、
前記画像処理手段から出力された画像データを表示するために前記光源手段からの光束を走査する走査手段と、
前記光束の一部若しくは全体を観察者の眼球に導く光学系と、
前記光源手段が発する光の明るさを測定する明るさ測定手段と、
前記明るさ測定手段による測定結果に基づいてカラーバランスを補正するカラーバランス補正手段と、を有することを特徴とする。
【発明の効果】
【００１４】
本出願に係る発明によれば、例えば、光ビーム走査型の表示において、光源の発光強度の変動によって描画する画像のカラーバランスの崩れを低減し、適切なカラーバランスの画像を得ることが可能となる。
【発明を実施するための最良の形態】
【００１５】
図１は本発明の特徴を備えた撮影装置と一例としてのデジタルカメラのブロック図を示すものであり、本図において１は被写体像を電気的な信号に変更して次段へ送り出すための撮像ブロックであり、撮影レンズ１１、ＣＣＤセンサアレイ１２からなり、そのＣＣＤセンサアレイ上の各画素において光の強弱を電荷の大小に変換する。更に信号処理回路１３でＣＣＤセンサアレイ１２上の電荷情報を一連の電気信号である画像信号へ変換する。本デジタルカメラにおいては電源が投入されていると本ブロックは連続的に動作を続け、ＣＣＤセンサアレイの電子シャッター機能により適切な露光量が得られる様に制御回路５の指示に基づいて蓄積条件を信号処理回路１３が設定し、ＣＣＤセンサアレイ１２上に形成された画像に関する電荷情報を画像信号として次段へ送り出す。この画像信号は後述するデジタルカメラの電子ファインダの表示に用いられるものであるが、信号処理回路１３はファインダ画像の順次走査に合わせて１フレーム分の画像信号を６０回／秒の頻度で転送するものである。５は本デジタルカメラの動作全体を制御する制御回路であり、演算処理や制御プログラムを実行する為のＣＰＵや、ＲＡＭ、ＲＯＭ、不揮発性で書き換え可能なＥＥＰＲＯＭ等のメモリ回路、周辺回路からのアナログ信号をデジタル値に変換して取り込むＡ／Ｄコンバータ、等々から構成されていて各種操作スイッチの大部分がこの制御回路に接続される。また、信号処理回路１３、画像処理エンジン１５、画像信号保持装置１６、後述の光ビーム走査型表示デバイス３等の動作を制御する機能を備える。６はレリーズボタンである。撮影者がレリーズボタン６を操作して撮影動作を行うと、制御回路５は信号処理回路１３に対して、撮影時の撮影条件、被写体の明るさや被写体までの距離などに応じて最適な画像信号を得るようにシャッター速度や撮影レンズの絞り値、撮影レンズの合焦位置への移動等一連の撮像条件を設定した後、１枚分の画像信号を取り込む様に制御する。この画像信号は撮影画像データとして扱われ、ファインダ表示用の画像データとは別に次段の画像処理手段としての画像処理ブロック２へ送り出す。そして、画像信号はまず、画像処理ブロック２内のＡ／Ｄコンバータを含んだ画像信号入力装置１４に入力され、アナログの電圧値である画像信号をデジタル値の画像データにＡ／Ｄ変換し、撮影画像データに変換して輝度／色差信号に分離加工する。次に、１５の画像処理エンジンは制御回路５の指示により、画像信号入力装置１４を介して受け取った撮影画像データをＪＰＥＧフォーマット等のデータ圧縮処理を施す。圧縮された撮影画像データは画像処理エンジン内の不図示のバッファメモリ領域に一旦送り込まれた後、後述の記録媒体１５Ａへ記録される。記録媒体１５Ａは半導体メモリを多数実装したコンパクトフラッシュ（登録商標）やＳＤカード（登録商標）等のメモリカードの一種であり、本デジタルカメラに着脱自在である。
【００１６】
また、画像処理ブロック２では、記録媒体１５Ａに記録される撮影画像データとは別に、撮像ブロック１から送られて来る画像信号に所定の画像処理を施し、ファインダ表示用画像データとしてファインダ装置の光ビーム走査型表示デバイス３に送り出す。すなわち、撮影画像データ以外の連続的に送り込まれる画像信号はファインダ表示用画像データとして信号の一部を間引き処理し、圧縮等の処理を施して画像信号出力装置１６へ出力する。この間引き処理、圧縮処理等の一連の画像処理は制御回路５からの指示によりなされる。この１６は信号変換装置としての機能を備えた画像信号保持装置であり、ファインダ表示用画像データを一時的に保管するＶＲＡＭ１６Ａを含むものである。その内部構成の模式図は図１（Ｂ）に示すものであり、画像処理エンジンからのファインダ表示用画像データ信号は一旦ＶＲＡＭ１６Ａへそのまま書き込むが、読み出しアドレス制御ポインタ１６Ｂは信号変換手段として機能し、光ビーム走査型表示デバイスへ画像データを送り出す際にデータを読み出すアドレスを制御して光ビーム走査型表示装置に対応した適切なデータの配列順序を実現する。２０はＶＲＡＭのデータを送り出すためのバッファである。３は光ビーム走査型表示デバイスで詳細は既に説明したものである。１８は明るさ測定手段として、各光源の光の強さを測定する為の光センサであって、このセンサに照射された光を受けた際の出力信号を制御回路５へ伝えて、制御回路５内部で演算して各光源の明るさとカラーのバランスを求める。このセンサはシリコンフォトセル（ＳＰＣと略す）から成り、その分光感度特性を図７に示す。１９は半導体素子を利用した周辺温度を測定する温度センサで、その温度に依存した電圧出力を制御回路５へ伝える。制御回路５はその温度センサの出力電圧をＡ／Ｄ変換して取り込み、内部ＲＯＭに備えた温度センサの特性の変換テーブルを利用して温度を求めることができる。
【００１７】
以上の構成より成るデジタルカメラに於いて、光ビーム走査型表示デバイスとその光源の光ビームを検出する光センサの配置について、図２（Ａ）を用いて説明する。図２（Ａ）は本発明の実施例を説明する為の模式図であり、２１は光源手段としての光ビーム走査型表示デバイス３の構成要素であるＲ、Ｇ、Ｂ３色から成るＬＥＤ光源であり、この先端より光ビームを発する。その光ビームは走査手段としてのミラー面１１０Ａで反射されて水平、垂直方向にスキャンされる。４０は光拡散性を有するスクリーンで光源２１からの光ビーム（光束）の一部あるいは全部は光学系としての集光レンズ５１にてこのスクリーン上でピントが合致し、結像する様調整されていて、最も絞り込まれた状態である。このスクリーン上に絞り込まれた光ビームが掃引され画像を描く際に、接眼レンズ３１を介してこのスクリーンを観測すると、光ビームが描いた画像が網膜の残像の効果であたかもスクリーン上に画像が存在するように感じることになる。図４のドライブ回路１７は、図３に示した圧電素子１０９と１０４の差動電圧出力よりミラーの水平、垂直方向の角度を検出していて、光ビームがスクリーン４０から外れるタイミングで光源２１からの光ビームを停止させるものであるが、図２（Ａ）の３４で示す領域ではＲ、Ｇ、Ｂ各ＬＥＤをあらかじめ定められた一定の電力で順次単独で点灯させる。また、同時に各ＬＥＤの点灯タイミングを制御回路５へ伝える。制御回路５はそのタイミングで光センサ１８の信号出力を取り込むことによって明るさを測定し、各ＬＥＤの明るさに関する情報、すなわちカラーバランス情報を得ることが出来る。３２は領域３４で点灯した光ビームをセンサ上に集光する為の集光レンズである。又、図２（Ｂ）のＢ視図に示す３５は遮光部材で、領域３４で点灯した光ビームが集光レンズに回り込んで撮影者の目に入る事を防ぐ為の部材である。又、温度センサ１９（不図示）は光センサ１８の近傍に設置され、光センサ周囲の温度情報を制御回路５に出力する。そして、カラーバランス補正手段として、制御回路５は、光センサから得られたカラーバランス情報と温度センサから得られた温度情報をもとにＲ、Ｇ、Ｂ、単色のＬＥＤそれぞれの電力（駆動電流あるいは駆動電圧）を調整してカラーバランスを補正する。
【００１８】
このように、その測定結果に基づいてカラーバランスを所定の範囲に追い込む事が可能になり、光ビーム走査型表示装置において常に色相の整った画像を描く事が可能となる。
【００１９】
また、光センサ１８によって信号出力で光ビームのパワーの強さを測定可能である事から、この信号からカラーバランス補正手段は光パワーを色再現性に適した範囲やあるいは制御限界等の所定の範囲に制御する事が可能で、常にほぼ一定の明るさの画像を描画する事が可能となる。
【００２０】
また、明るさ測定の光センサの感度や温度センサによって広い温度範囲の分光特性の温度変化を測定し、その測定結果に基づいて特性変動を補正することが可能になるので、周囲温度が変動しても常に一定の明るさでかつ定められた範囲の最適なカラーバランスを維持した光ビームで画像を描画する事が可能となる。
【００２１】
本デジタルカメラは生産・製造工程の中で、カラーバランスやファインダ像の明るさが調整され、その際の調整データが制御回路５内部のＥＥＰＲＯＭ等の不揮発性メモリに記録されている。ＥＥＰＲＯＭには調整後の光センサ１８の各ＬＥＤによる光パワーの測定値とその時の温度センサの温度に関するデータが含まれており、制御回路５は光ビーム走査型表示装置が動作中に上記タイミングで取り込むデータとそれらのデータを比較するものである。具体的な手順は図８のフローチャートを用いて説明する。
【００２２】
Ｓ１１；各ＬＥＤの光パワー測定は１フレームの掃引に１回の割合で行うもので、その測定結果から補正係数を算出して次のフレームの掃引時にＬＥＤの明るさ、即ちＬＥＤに流す電流を変更するものである。光ビームが掃引中の帰線期間、即ち上方より下方へ掃引してきた光ビームのミラー部が最下部の掃引を終了した時点で各ＬＥＤを消灯し、新たな掃引を開始する為にミラー部を初期位置に戻すが、その間に制御回路５は各ＬＥＤの光パワー測定の準備を開始する。
【００２３】
Ｓ１２；制御回路５は温度センサ１９の信号から、動作中の周囲温度を得る。図７に示した光センサの分光感度特性は相対的なものであり、絶対感度は温度に依存するものであるが、制御回路５のＲＯＭ部にはセンサ感度の温度特性がデータテーブルとして備えられていて、ここで得た温度情報とＥＥＰＲＯＭ部に書き込まれた生産工程において調整された時点の温度情報を比較し、動作時のＬＥＤの光パワーに対する温度に関する補正係数を算出しＲＡＭ部に記録する。
【００２４】
Ｓ１３；光ビームが上方よりスキャンを開始し、予め定められた本数の掃引後、スクリーンから外れた領域３４（図２（Ａ））で赤色ＬＥＤを点灯する。この際の光ビームは遮光部材３５で遮られているのでファインダを覗く撮影者には検知されずに光センサ１８へ導かれる。制御回路５は光センサ１８からの明るさに関する情報にＳ１２で求めた補正係数で補正を加えたものを赤色ＬＥＤの明るさとして内部のＲＡＭ部に記録する（直前の掃引時に得た赤色ＬＥＤの明るさ情報を更新する）。次のラインの掃引時では緑色ＬＥＤを点灯し、同様に緑色ＬＥＤの明るさを得る。更に次の掃引時に青色ＬＥＤの明るさを得る。
【００２５】
Ｓ１４；Ｓ１２で求めた温度に関する補正係数で赤色ＬＥＤの明るさを補正して、赤色ＬＥＤの光パワーＲとしてＲＡＭ部に格納（直前の掃引時に得たＲの値を更新）する。同様に緑色ＬＥＤの明るさを補正してＧを、青色ＬＥＤの明るさを補正してＢを得てＲＡＭ部に格納（更新）する。
【００２６】
Ｓ１５；制御装置５はＥＥＰＲＯＭ上に記録されている生産工程で記録した青色ＬＥＤの光パワーとＳ１４で求めた光パワーＢとを比較する。生産時の光パワーと比較した結果が所定値（例えば、生産時の光パワーの５％）以上の増加若しくは減少しているか否かを算出する。５％を超える青色ＬＥＤの光パワーの変化を検出すればＳ２０へ移行する。変化量が５％未満であればＳ１６へ移行する。
【００２７】
Ｓ１６；制御回路５にてＳ１４で求めた光パワーＢと光パワーＲの比率を計算する。同様に生産時の青色ＬＥＤの光パワーと赤色ＬＥＤの光パワーとの比率を計算して両者を比較する。ＢとＲの比率が生産時に比較して５％以上変化していればＳ１８へ移行する。変化量が５％未満であればＳ１７へ移行する。
【００２８】
Ｓ１７；制御回路５にてＳ１４で求めたＢとＧの比率を計算する。同様に生産時の青色ＬＥＤの光パワーと緑色ＬＥＤの光パワーとの比率を計算して両者を比較する。ＢとＧの比率が生産時に比較して５％以上変化していればＳ１９へ移行する。変化が５％未満であればＳ２１へ移行する。
【００２９】
Ｓ１８；Ｓ１５においてＢの値が適正な範囲である事が判明しているので、制御回路５は光パワーＲを変更する為の補正量を算出する。Ｓ１６で求めたＢ／Ｒが生産時の比率から変化した分を補正する様に赤色ＬＥＤの明るさを変更する。具体的には、ＬＥＤの光パワーは所定の電圧値において、流す電流値にほぼ比例することから赤色ＬＥＤに流す電流値を制御回路５が決定し、次フレームの掃引開始直前に設定する。なお、ここでは電流値を変更することによってＬＥＤの明るさを制御したが、ＬＥＤを駆動するための電力を制御すれば明るさを変更出来るので、電圧値を変える構成にしてもよい。
【００３０】
Ｓ１９；Ｓ１５においてＢの値が適正な範囲である事が判明しているので、制御回路５は光パワーＧを変更する為の補正量を算出する。Ｓ１７で求めたＢ／Ｇが生産時の比率から変化した分を補正する様に緑色ＬＥＤの明るさを変更する。具体的には緑色ＬＥＤに流す電流値を制御回路５が決定し、次フレームの掃引開始直前に設定する。
【００３１】
Ｓ２０；青色ＬＥＤの明るさが生産時より変化している事から、これを生産時の明るさに戻す為、制御回路５は青色ＬＥＤに流す電流値を決定し、次フレームの掃引開始直前に設定する。
【００３２】
Ｓ２１；スタート時（Ｓ１１）の条件を維持して光ビームの掃引を続ける。１フレームの掃引が終了すると、Ｓ１８、Ｓ１９、Ｓ２０を経由した場合は各ステップで算出された電流値が設定される。制御回路５はドライブ回路１７へ各ＬＥＤの電流値を設定すると、ドライブ回路１７はその設定値に従って各ＬＥＤに電流を流すよう動作する。その後Ｓ１１へ戻り、次フレームの画像を描くスキャンを開始する。
【００３３】
以上のシーケンスを数回繰り返す事により、描画される画像の明るさ、カラーバランスは生産工程で調整された状態のものとほぼ等しくなり、周囲温度の変動や各ＬＥＤの明るさの経時変化によるカラーバランスの変化を補正することが可能となる。
【００３４】
液晶などではＲＧＢ各々独立した点光源の集合で画像を形成するので、発光面全体のうち実際に光る領域は僅かであり、その画像を観察すると画面のざらつき感があるのに対して、このように、本装置では、デジタルカメラのビューファインダに上記の光ビーム走査型表示装置を採用することにより、３原色の光源に直接強度変調をかけて任意の色／強度の光を合成し、連続した光がスキャンすることによって画像を形成しているので、液晶などによるビューファインダと比較して、色再現性に優れ、コントラストが高くかつ滑らかな画面が得られる。（一般的な液晶のビューファインダのコントラスト性能と比較すると、画像のコントラストは液晶が１００：１程度であるのに対し、本装置は原理上３０００：１以上が得られる。）
なお、本実施例では光センサ１８に単独のシリコンフォトセル（ＳＰＣ）から成る構成であって、ここに時系列的に青、赤、緑のＬＥＤの光ビームを照射する方法を説明したが、必ずしもこの構成に限定されるものではない。上記ＳＰＣに代わってＲＧＢ各色の成分を分離して出力する事が可能なホワイトバランス検出用の測色センサを用いて、光源からは赤、青、緑のＬＥＤを同時に点灯した白色光を測色センサ上に照射することで、光源のホワイトバランスと明るさを検出する事が可能となり、その検出結果を基に赤、青、緑のバランスや発光量の変化を算出する事も可能である。その算出結果より各色ＬＥＤに流す電流値を調整して、生産工程における調整直後とほぼ等しい状態の画像を得ることが可能となる。
【００３５】
上記の実施例では、光源手段としてＲＧＢ３色のＬＥＤを用いて説明したが、電力等で明るさの制御が出来る自発光素子であれば有機ＥＬ等の発光素子でも良い。
【００３６】
また、上記の実施例では、ＬＥＤ光をスクリーン当て、それを観察者が見る構成としたが、あるいは光拡散性のスクリーンの代わりに、透過性のスクリーンや接眼レンズを経由して観測者の網膜上で結像するように構成することによって網膜走査型ファインダとしても実現可能である。これにより、スクリーンの構成が不要になる分、ファインダ部の像が明るくなる。
【００３７】
（他の実施形態）
また、本発明の目的は、前述した実施形態の機能を実現するソフトウェアのプログラムコードを記録した記憶媒体を、システム或いは装置（例えば、撮像装置）に供給し、そのシステム或いは装置のコンピュータ（またはＣＰＵやＭＰＵ）が記憶媒体に格納されたプログラムコードをそのシステム或いは装置からのリモート操作等によって読み出し実行することによっても、達成されることは言うまでもない。
【００３８】
この場合、記憶媒体から読み出されたプログラムコード自体が前述した実施形態の機能を実現することになり、そのプログラムコードを記憶した記憶媒体は本発明を構成することになる。
【００３９】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ等を用いることが出来る。
【００４０】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部又は全部を行い、その処理によって前述した実施形態の機能が実現される場合も含まれることは言うまでもない。
【００４１】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【００４２】
なお本発明を上述の記憶媒体に適応する場合、その記憶媒体には、先に説明したフローチャートに対応するプログラムコードが格納されることになる。
【図面の簡単な説明】
【００４３】
【図１】実施例としてのデジタルカメラのブロック図
【図２】光ビーム走査型表示デバイスの構成図
【図３】光ビーム走査型表示デバイスのミラー部の図面
【図４】光ビーム走査型表示デバイスの制御を説明する図面
【図５】光ビーム走査型デバイスのドライブ信号
【図６】光源の構成を示す図面
【図７】光センサの分光特性
【図８】シーケンス図
【符号の説明】
【００４４】
１  撮像ブロック
２  画像処理ブロック
３  光ビーム走査型表示デバイス
４  ＬＣＤディスプレイ
５  制御回路
６  レリーズスイッチ
１１  撮影レンズ
１２  ＣＣＤセンサ
１３  画像処理回路
１４  画像信号入力装置
１５  画像処理エンジン
１６  画像信号保持装置
１７  ドライブ回路
１８  光センサ
１９  温度センサ
２０  バッファ
２１  光源
３１  接眼レンズ
３２  集光レンズ
３４  光ビームの明るさを検出する領域
３５  遮光部材
４０  スクリーン
４１  描画範囲
４３  プリズム
４４  プリズム
４５  プリズム
４６  ダイクロイックミラー（赤）
４７  ダイクロイックミラー（青）
４８  赤色ＬＥＤ
４９  緑色ＬＥＤ
５０  青色ＬＥＤ
５１  集光レンズ
１０１  基準部材
１０２  捩りバー
１０３  捩りバー
１０４  圧電素子
１０５  捩れ振動子
１０６  コイル
１０７  捩りバー
１０８  捩りバー
１０９  圧電素子
１１０  捩り振動子
１２０  基礎部材
１２１  保持部材
１２２Ａ、Ｂ  駆動電極
１２３Ａ、Ｂ  磁石
１３０〜１３６  接続端子
【図１】
2006042153.tif 000003
【図２】
2006042153.tif 000004
【図３】
2006042153.tif 000005
【図４】
2006042153.tif 000006
【図５】
2006042153.tif 000007
【図６】
2006042153.tif 000008
【図７】
2006042153.tif 000009
【図８】
2006042153.tif 000010